(57)【特許請求の範囲】
【請求項１】
商品に付されたデータを読み取るための操作を客自身が行い、かつ、読み取ったデータに基づいて、非接触式ＩＣチップに記憶された電子マネーにより精算を行う商品販売データ処理装置において、
残高データを記憶する前記非接触式ＩＣチップを備えた電子マネー媒体を載置する載置部と、
前記電子マネー媒体が前記載置部に載置された場合に、前記非接触式ＩＣチップから前記残高データを読み出し、精算の際に前記残高データを書き換えるリーダライタ部と、
客自身が商品登録の開始指示を入力するスタートボタンと、
各種情報を表示する表示部と、
前記載置部に前記電子マネー媒体が載置され、かつ、前記商品登録の開始指示が前記スタートボタンで入力された場合に、前記リーダライタ部によって読み出された前記残高データに基づいた残高を前記表示部に表示させるよう制御する第１の制御部と、
前記スタートボタンが操作された後、所定時間内に前記電子マネー媒体が前記載置部に載置されたことを検出した場合は前記残高を表示するとともに商品コードの読み取りを可能にする第２の制御部と、
を有することを特徴とする商品販売データ処理装置。
【請求項２】
前記表示部は、客自身が操作可能なキーを表示することが可能なように構成されており、
前記載置部に前記電子マネー媒体が載置され、かつ、前記商品登録の開始指示が前記スタートボタンで入力された場合に、前記制御部はさらに、商品に付されたデータを読み取るための操作を促す情報を前記表示部に表示させるように制御すると共に、データが付されていない商品を登録するための登録キーを前記表示部に表示させるように制御する
ことを特徴とする請求項１に記載の商品販売データ処理装置。
【請求項３】
前記登録キーは、新聞を登録するためのキーであることを特徴とする請求項２に記載の商品販売データ処理装置。
【請求項４】
商品に付されたデータを読み取るための操作が行われた場合に、商品の合計金額が、前記残高データに基づく残高を超えたとき、前記制御部は最後に読み取られたデータを無効にすることを特徴とする請求項１〜請求項３のいずれかに記載の商品販売データ処理装置。
【請求項５】
商品に付されたデータを読み取るための操作が行われた場合に、商品の合計金額が、前記残高データに基づく残高を超えたとき、前記制御部は読み取られた全てのデータを無効にすることを特徴とする請求項１〜請求項３のいずれかに記載の商品販売データ処理装置。
【請求項６】
前記載置部に前記電子マネー媒体が載置され、かつ、前記商品登録の開始指示が前記スタートボタンで入力されてから精算終了前に前記載置部から前記電子マネー媒体が取り除かれた場合に、前記制御部は警報を発する処理を実行することを特徴とする請求項１〜請求項５のいずれかに記載の商品販売データ処理装置。
【請求項７】
前記制御部は、前記載置部に前記電子マネー媒体が載置される前、または前記商品登録の開始指示が前記スタートボタンで入力される前に、ユーザに対して教示する操作方法を示す複数の画像を順番に前記表示部に表示させるように制御することを特徴とする請求項１〜請求項６のいずれかに記載の商品販売データ処理装置。
【請求項８】
前記制御部は、前記載置部に前記電子マネー媒体が載置される前、または前記商品登録の開始指示が前記スタートボタンで入力される前に、ユーザに対して教示する操作方法を示す複数の画像を同時に前記表示部に表示させるように制御することを特徴とする請求項１〜請求項６のいずれかに記載の商品販売データ処理装置。
【請求項９】
前記制御部は、
前記載置部に前記電子マネー媒体が載置される前、かつ、前記商品登録の開始指示が前記スタートボタンで入力される前に第１の画像を前記表示部に表示させるように制御し、
前記載置部に前記電子マネー媒体が載置される前、かつ、前記商品登録の開始指示が前記スタートボタンで入力された後に第２の画像を前記表示部に表示させるように制御し、
前記第２の画像を前記表示部に表示させてから前記載置部に前記電子マネー媒体が載置される前に所定時間が経過したときに前記第１の画像を前記表示部に再度表示させるように制御する
ことを特徴とする請求項１〜請求項８のいずれかに記載の商品販売データ処理装置。
【発明の詳細な説明】
【技術分野】
【０００１】
商品に付されたデータを読み取るための操作を客自身が行い、かつ、読み取ったデータに基づいて、ＩＣチップに記憶された電子マネーにより精算を行う商品販売データ処理装置に関する。
【背景技術】
【０００２】
コンビニエンスストア等において、店員を介すことなく、客自身が購入商品の登録を行い、現金を使用せずに電子マネーにより精算を行う商品販売データ処理装置（セルフチェックアウトレジスタ）が開発されている。例えば特許文献１には、ＩＣチップを搭載する非接触型のＩＣカードを用いたセルフチェックアウトを可能とする商品販売データ処理装置が記載されている。
【特許文献１】特開２００６−５９３０２号公報
【発明の開示】
【発明が解決しようとする課題】
【０００３】
従来の商品販売データ処理装置では、ＩＣチップに記憶されている残高データを読み取る所定の場所にＩＣカード等が位置しただけで商品登録のための処理が開始され、ＩＣチップから残高データが読み取られて、客の方を向いた表示部に残高が表示されてしまう。このため、買物をしないにも関わらず、誤ってＩＣカード等が所定の場所に位置しただけでも残高が表示され、他人に残高を見られてしまう恐れがあった。
【０００４】
本発明は、上述した課題に鑑みてなされたものであって、客が意図しない残高表示を防止することができる商品販売データ処理装置を提供することを目的とする。
【課題を解決するための手段】
【０００５】
本発明は、上記の課題を解決するためになされたもので、商品に付されたデータを読み取るための操作を客自身が行い、かつ、読み取ったデータに基づいて、非接触式ＩＣチップに記憶された電子マネーにより精算を行う商品販売データ処理装置において、残高データを記憶する前記非接触式ＩＣチップを備えた電子マネー媒体を載置する載置部と、前記電子マネー媒体が前記載置部に載置された場合に、前記非接触式ＩＣチップから前記残高データを読み出し、精算の際に前記残高データを書き換えるリーダライタ部と、客自身が商品登録の開始指示を入力するスタートボタンと、各種情報を表示する表示部と、前記載置部に前記電子マネー媒体が載置され、かつ、前記商品登録の開始指示が前記スタートボタンで入力された場合に、前記リーダライタ部によって読み出された前記残高データに基づいた残高を前記表示部に表示させるよう制御する第１の制御部と、前記スタートボタンが操作された後、所定時間内に前記電子マネー媒体が前記載置部に載置されたことを検出した場合は前記残高を表示するとともに商品コードの読み取りを可能にする第２の制御部と、を有することを特徴とする商品販売データ処理装置である。
【０００６】
本発明によれば、載置部に電子マネー媒体が載置され、かつ、商品登録の開始指示がスタートボタンで入力された場合に残高を表示部に表示させるので、客が意図しない残高表示を防止することができる。なお、載置部への電子マネー媒体の載置と商品登録の開始指示の入力との順序は問わず、両方の条件が満たされた場合に残高を表示部に表示させる。
【０００７】
また、本発明の商品販売データ処理装置において、前記表示部は、客自身が操作可能なキーを表示することが可能なように構成されており、前記載置部に前記電子マネー媒体が載置され、かつ、前記商品登録の開始指示が前記スタートボタンで入力された場合に、前記制御部はさらに、商品に付されたデータを読み取るための操作を促す情報を前記表示部に表示させるように制御すると共に、データが付されていない商品を登録するための登録キーを前記表示部に表示させるように制御することを特徴とする。
【０００８】
本発明によれば、商品に付されたデータを読み取るための操作を促す情報を表示部に表示させるように制御すると共に、データが付されていない商品を登録するための登録キーを表示部に表示させるように制御することによって、データが付されていない商品を購入する場合でも、客自身が商品登録を行うことができる。
【０００９】
また、本発明の商品販売データ処理装置において、前記登録キーは、新聞を登録するためのキーであることを特徴とする。
【００１０】
本発明によれば、データが付されていない新聞を購入する場合でも、客自身が商品登録を行うことができる。
【００１１】
また、本発明の商品販売データ処理装置において、商品に付されたデータを読み取るための操作が行われた場合に、商品の合計金額が、前記残高データに基づく残高を超えたとき、前記制御部は最後に読み取られたデータを無効にすることを特徴とする。
【００１２】
本発明によれば、商品の合計金額が、残高データに基づく残高を超えたとき、最後に読み取られたデータを無効にすることによって、客は合計金額が残高以内となるように商品の購入を行うことができる。
【００１３】
また、本発明の商品販売データ処理装置において、商品に付されたデータを読み取るための操作が行われた場合に、商品の合計金額が、前記残高データに基づく残高を超えたとき、前記制御部は読み取られた全てのデータを無効にすることを特徴とする。
【００１４】
本発明によれば、商品の合計金額が、残高データに基づく残高を超えたとき、読み取られた全てのデータを無効にすることによって、客は商品登録を最初からやり直し、購入優先度の高い商品を含むように、かつ合計金額が残高以内となるように商品の購入を行うことができる。
【００１５】
また、本発明の商品販売データ処理装置は、前記載置部に前記電子マネー媒体が載置され、かつ、前記商品登録の開始指示が前記スタートボタンで入力されてから精算終了前に前記載置部から前記電子マネー媒体が取り除かれた場合に、前記制御部は警報を発する処理を実行することを特徴とする。
【００１６】
本発明によれば、客が商品登録中に電子マネー媒体を取り除く余計な操作を防止することによって、精算効率を向上することができる。
【００１７】
また、本発明の商品販売データ処理装置において、前記制御部は、前記載置部に前記電子マネー媒体が載置される前、または前記商品登録の開始指示が前記スタートボタンで入力される前に、ユーザに対して教示する操作方法を示す複数の画像を順番に前記表示部に表示させるように制御することを特徴とする。
【００１８】
本発明によれば、ユーザに対して教示する操作方法を示す複数の画像を順番に表示部に表示させることによって、ユーザに対して装置の操作方法をより分かりやすく伝えることができる。
【００１９】
また、本発明の商品販売データ処理装置において、前記制御部は、前記載置部に前記電子マネー媒体が載置される前、または前記商品登録の開始指示が前記スタートボタンで入力される前に、ユーザに対して教示する操作方法を示す複数の画像を同時に前記表示部に表示させるように制御することを特徴とする。
【００２０】
本発明によれば、ユーザに対して教示する操作方法を示す複数の画像を同時に表示部に表示させることによって、ユーザに対して装置の操作方法をより分かりやすく伝えることができる。
【００２１】
また、本発明の商品販売データ処理装置において、前記制御部は、前記載置部に前記電子マネー媒体が載置される前、かつ、前記商品登録の開始指示が前記スタートボタンで入力される前に第１の画像を前記表示部に表示させるように制御し、前記載置部に前記電子マネー媒体が載置される前、かつ、前記商品登録の開始指示が前記スタートボタンで入力された後に第２の画像を前記表示部に表示させるように制御し、前記第２の画像を前記表示部に表示させてから前記載置部に前記電子マネー媒体が載置される前に所定時間が経過したときに前記第１の画像を前記表示部に再度表示させるように制御することを特徴とする。
【００２２】
本発明によれば、第２の画像を表示部に表示させてから載置部に電子マネー媒体が載置される前に所定時間が経過したときに第１の画像を表示部に再度表示させるように制御することによって、客が装置の操作を途中で中止し、その場を離れてしまった場合でも、表示部が第１の画像を表示する状態に戻すことができる。
【発明の効果】
【００２３】
本発明によれば、載置部に電子マネー媒体が載置され、かつ、商品登録の開始指示がスタートボタンで入力された場合に残高を表示部に表示させるので、客が意図しない残高表示を防止することができるという効果が得られる。
【発明を実施するための最良の形態】
【００２４】
以下、図面を参照し、本発明の実施形態を説明する。図１は、本発明の一実施形態による商品販売データ処理装置の構成を示している。図１に示す商品販売データ処理装置１は、ＣＰＵ１００と、ハードディスク部１０２と、ＲＡＭ（Random Access Memory）１０４と、タッチパネル１０６と、レシート印字部１０８と、スキャナ部１１０と、リーダライタ部１１２と、載置部１１４とを有している。ＣＰＵ１００、ハードディスク部１０２、ＲＡＭ１０４、タッチパネル１０６、レシート印字部１０８、スキャナ部１１０、およびリーダライタ部１１２は、バスライン１２０を介して接続されている。
【００２５】
ＣＰＵ１００は、各種演算を実行し、演算結果に基づいて商品販売データ処理装置１内の各部を制御する。ハードディスク部１０２は、読み書き可能な大容量の記憶手段であり、商品販売データ処理装置１の各機能を実現するためのプログラムを記憶する。また、ハードディスク部１０２は、商品コード、品名、価格等のデータを有する商品データ等の各種データを記憶する。ＲＡＭ１０４は読み書き可能な記憶手段であり、客自身が購入のために登録した商品の商品コード、品名、価格等のデータを有する登録商品データや、ハードディスク部１０２から読み出された商品データ等の、ＣＰＵ１００が利用する各種データを記憶する。
【００２６】
タッチパネル１０６は、客自身が表示画面に触れることにより各種情報を入力することが可能なように構成されており、客に対して各種情報を表示するための液晶等の画面を含んだ表示部１０６ａと、客自身による各種情報の入力操作を検出するための接触センサを含んだ入力部１０６ｂとを有している。レシート印字部１０８は印字手段を備え、ＣＰＵ１００の指示に従い、所定のレシート用紙上に購入商品の明細を印字する。この印字手段は、インクを使用するものであってもよいし、感熱紙を利用するもの等、インクを使用しないものであってもよい。
【００２７】
スキャナ部１１０はバーコードスキャナであり、商品に付されているバーコードを読み取る。商品に付されているバーコードを客自身がスキャナ部１１０にかざすと、スキャナ部１１０はそのバーコードの情報を読み取り、読み取った情報をＣＰＵ１００へ出力する。リーダライタ部１１２は、載置部１１４の真下に配置されており、載置部１１４に載置された電子マネー媒体２から残高データを読み出し、精算の際に残高データを書き換える。載置部１１４は、傾斜に配置され、その下端部にカードを維持させるための凹部を有し、電子マネー媒体２を載置することが可能なように構成されている。ただし、載置部１１４の位置や向きは問わず、スキャナ部１１０が載置される台に対して平行であってもよい。載置部１１４に載置される電子マネー媒体２は、電子マネーとしての残高データを記憶するＩＣチップを内部に有するＩＣカードや携帯電話端末等である。
【００２８】
次に、タッチパネル１０６の表示部１０６ａが表示する画面（図２〜図７）を参照しながら、商品販売データ処理装置１の動作を説明する。初期状態では表示部１０６ａは、図２に示す画面を表示する。画面表示に必要なデータはハードディスク部１０２に記憶されており、ＣＰＵ１００はそのデータをハードディスク部１０２から読み出してＲＡＭ１０４に格納する。また、ＣＰＵ１００は、ＲＡＭ１０４に格納したデータを適宜処理し、表示データとして表示部１０６ａへ出力する。表示部１０６ａは、表示データに基づいて画面を表示する。以上の動作により、図２に示すような画面が表示される。これ以降、他の画面が表示される場合の動作も同様である。
【００２９】
客は商品を購入する場合、載置部１１４に電子マネー媒体２を載置し、続いて商品登録を開始するため、買物スタートボタン２００を押下する。買物スタートボタン２００が押下された場合、その押下に応じた信号が入力部１０６ｂからＣＰＵ１００へ出力される。ＣＰＵ１００は、その信号に基づいて、買物スタートボタン２００が押下されて商品登録の開始指示が入力されたことを検出する。また、ＣＰＵ１００は、載置部１１４に電子マネー媒体２が載置されているか否かを判定する。この判定に関しては、リーダライタ部１１２を介して電子マネー媒体２に対するアクセスが可能か否かを判定してもよいし、載置部１１４に接触センサを設け、接触センサの出力信号に基づいて判定を行ってもよい。
【００３０】
載置部１１４に電子マネー媒体２が載置されていると判定し、かつ、商品登録の開始指示が入力されたことを検出した場合に、ＣＰＵ１００は、図３に示す画面を表示させるように表示部１０６ａを制御する。したがって、載置部１１４に電子マネー媒体２が載置されていても、買物スタートボタン２００が押下されていなければ、表示部１０６ａの画面は図２のままである。また、買物スタートボタン２００が押下されても、載置部１１４に電子マネー媒体２が載置されていなければ、表示部１０６ａの画面は図２のままであるか、あるいはエラー画面（もしくは警報表示画面）となる。
【００３１】
図３に示すように表示部１０６ａは、メッセージ３００と新聞ボタン３１０を含む画面を表示する。メッセージ３００は、スキャナ部１１０が配置されている場所に対して、商品に付されているバーコードを近づけるように客に促すメッセージ（商品に付されたデータを読み取るための操作を促すメッセージ）である。また、新聞ボタン３１０は、バーコードが付されていない新聞を商品登録するためのボタンである。
【００３２】
また、ＣＰＵ１００は、リーダライタ部１１２を介して電子マネー媒体２にアクセスし、電子マネー媒体２内のＩＣチップに記憶されている残高データを読み出す。ＩＣチップから読み出された残高データはＲＡＭ１０４に格納されると共に表示部１０６ａへ出力される。図３に示すように、表示部１０６ａは残高データが示す残高を表示する。
【００３３】
客が商品をスキャナ部１１０に近づけると、スキャナ部１１０は商品に付されているバーコードの情報（商品コード）を読み取り、ＣＰＵ１００へ出力する。商品コードが読み取られたことを検出した場合、ＣＰＵ１００は、図４に示す商品登録用の画面を表示させるように表示部１０６ａを制御する。また、ＣＰＵ１００はハードディスク部１０２から商品データを読み出してＲＡＭ１０４に格納する。
【００３４】
ＣＰＵ１００は、ＲＡＭ１０４に格納されている商品データ内の商品コードと、スキャナ部１１０によって読み取られた商品コードとを比較し、両者が一致した場合、その商品コードに関連付けられている品名や価格のデータを表示部１０６ａへ出力する。表示部１０６ａは、そのデータに基づいて、商品の品名や価格を表示する。また、ＣＰＵ１００は、商品登録された商品の商品コード、品名、および価格を含む登録商品データをＲＡＭ１０４に格納する。さらに、ＣＰＵ１００は、商品登録された商品の価格を合計データとしてＲＡＭ１０４に格納すると共に表示部１０６ａへ出力する。表示部１０６ａは合計データに基づいて合計金額を表示する。
【００３５】
続いて、客が次の商品をスキャナ部１１０に近づけると、上記と同様にして、商品コードが読み取られ、ＣＰＵ１００は、読み取られた商品コードに対応した品名や価格のデータを表示部１０６ａへ出力する。また、ＣＰＵ１００は、新たに商品登録された商品のデータをＲＡＭ１０４内の登録商品データに追加する。さらに、ＣＰＵ１００は、ＲＡＭ１０４に記憶されている合計データが示す合計金額に対して、新たに商品登録された商品の価格を加算することによって合計データを更新する。この更新後の合計データはＲＡＭ１０４に格納されると共に、表示部１０６ａへ出力される。表示部１０６ａは、新たに商品登録された商品の品名や価格を表示すると共に、更新された合計金額を表示する。図４では、１つの商品の情報のみが表示されているが、複数商品の商品登録が行われた場合には、複数商品の情報が表示される。
【００３６】
図４に示すように、商品登録時に表示部１０６ａは、お会計ボタン４００および新聞ボタン４１０を含むボタンを表示する。全ての商品の登録が完了した場合、客はお会計ボタン４００を押下する。また、バーコードが付されていない新聞を商品登録の途中で登録する場合、客は新聞ボタン４１０を押下する。
【００３７】
お会計ボタン４００が押下されると、ＣＰＵ１００は、入力部１０６ｂから出力される信号に基づいて、お会計ボタン４００が押下されて精算指示が入力されたことを検出する。精算指示が入力されたことを検出した場合、ＣＰＵ１００は、図５に示す精算用の画面を表示させるように表示部１０６ａを制御する。この際にＣＰＵ１００は、ＲＡＭ１０４に記憶されている残高データと合計データを読み出し、残高データが示す残高（取引前残高）から合計データが示す合計金額を減算し、減算後の残高（取引後残高）のデータを表示部１０６ａへ出力する。表示部１０６ａは、このデータに基づいて取引後残高を表示する。また、ＣＰＵ１００は、リーダライタ部１１２を介して、電子マネー媒体２に記憶されている残高データを取引後残高のデータに書き換える。
【００３８】
さらに、ＣＰＵ１００は登録商品データをＲＡＭ１０４から読み出し、レシート印字部１０８へ出力する。レシート印字部１０８は、登録商品データに基づいて、客が購入した商品の明細をレシート用紙上に印字する。
【００３９】
一方、客自身が図３の新聞ボタン３１０または図４の新聞ボタン４１０を押下した場合、表示部１０６ａは、図６に示す画面を表示する。この画面では、新聞のジャンルを指定するためのボタンが表示される。客自身がいずれかのボタンを押下した場合、表示部１０６ａは、図７に示す画面を表示する。この画面では、図６に示した画面で指定されたジャンルに含まれる新聞を指定するためのボタンが表示される。客自身がいずれかのボタンを押下した場合、ＣＰＵ１００は、入力部１０６ｂから出力される信号に基づいて、どの新聞が指定されたのかを検出する。
【００４０】
図７に示した画面でいずれかのボタンが押下された場合、表示部１０６ａは、図４に示した画面と同様の商品登録用の画面を表示する。この際にＣＰＵ１００は、指定された新聞の商品コードに対応した新聞名や価格のデータを表示部１０６ａへ出力する。また、ＣＰＵ１００は、新たに商品登録された新聞のデータをＲＡＭ１０４内の登録商品データに追加する。さらに、ＣＰＵ１００は、ＲＡＭ１０４に記憶されている合計データを更新し、更新後の合計データを表示部１０６ａへ出力する。表示部１０６ａは、新たに商品登録された新聞の新聞名や価格を表示すると共に、更新された合計金額を表示する。
【００４１】
また、客自身による商品登録の操作が行われている間、ＣＰＵ１００は、新たな商品が商品登録される毎に、ＲＡＭ１０４に記憶されている残高データと更新後の合計データを読み出し、残高データが示す残高と、更新後の合計データが示す合計金額とを比較する。比較の結果、残高が合計金額以上である場合（合計金額が残高以下である場合）には、ＣＰＵ１００は、商品登録の操作が有効であると判断する。
【００４２】
これに対して、上記の比較の結果、残高が合計金額未満である場合（合計金額が残高を超える場合）には、ＣＰＵ１００は、最後にデータを読み取った商品登録の操作が無効である（言い換えると、最後に読み取られたデータが無効である）と判断する。この場合にはＣＰＵ１００は、更新した合計データを更新前の状態に戻すと共に、最後にデータを読み取った商品に関するデータを登録商品データから削除（消去）する。
【００４３】
あるいは、以下のようにしてもよい。残高が合計金額未満である場合（合計金額が残高を超える場合）には、ＣＰＵ１００は、残高が足りないことにより商品登録を中止する旨のメッセージ等を表示させるように表示部１０６ａを制御する。また、ＣＰＵ１００は、画面を初期状態（図２）に戻す指示を入力するためのボタンを表示させるように表示部１０６ａを制御する。画面に表示されたボタンが押下され、画面を初期状態に戻す指示が入力されたことを検出した場合、ＣＰＵ１００は初期状態の画面を表示させるように表示部１０６ａを制御する。上記のボタンが表示されてから一定時間内にボタンが押下されなかったことを検出した場合にも、ＣＰＵ１００は初期状態の画面を表示させるように表示部１０６ａを制御する。
【００４４】
さらに、ＣＰＵ１００は、データを読み取った全ての商品登録の操作が無効である（言い換えると、読み取られた全てのデータが無効である）と判断し、合計データを削除（消去）すると共に、データを読み取った商品に関する全てのデータを登録商品データから削除（消去）する。初期状態の画面が表示された後は、上記と同様にして商品登録を最初からやり直すことが可能である。最後にデータを読み取った商品がユーザにとって購入優先度の高い商品である場合には、最後にデータを読み取った商品登録の操作のみを無効とせずに、データを読み取った全ての商品登録の操作を無効とし、商品登録を最初からやり直させることによって、購入優先度の高い商品を含むように、かつ合計金額が残高以内となるように商品の購入を行うことができる。
【００４５】
また、図２の買物ボタン２００が押下されてから、図４のお会計ボタン４００が押下されるまでの間、すなわち、商品登録の操作中であって精算終了前の状態ではＣＰＵ１００は、載置部１１４に電子マネー媒体２が載置されているか否かを定期的に判定する。載置部１１４に電子マネー媒体２が載置されていないと判定した場合、ＣＰＵ１００は、警報を発する処理を実行する。警報の発生は、表示部１０６ａによるメッセージ等の表示により行ってもよいし、音声の発生等により行ってもよい。また、載置部１１４に電子マネー媒体２が載置されているか否かの判定に関しては、リーダライタ部１１２を介して電子マネー媒体２に対するアクセスが可能か否かを判定してもよいし、載置部１１４に接触センサを設け、接触センサの出力信号に基づいて判定を行ってもよい。
【００４６】
電子マネー媒体２に対するアクセスは、商品登録の最初に電子マネー媒体２から残高データを読み出すときと、精算終了時に電子マネー媒体２の残高データを更新後の残高データに書き換えるときに行えば十分なので、これらのタイミング以外では電子マネー媒体２が載置部１１４から取り外されていても精算には支障がない。しかし、一旦載置部１１４に載置した電子マネー媒体２を客が取り外し、精算時に載置部１１４に電子マネー媒体２を再度載置すると、余計な操作のために精算効率が悪くなる。そこで、商品登録中は載置部１１４に電子マネー媒体２を常に載置させたままにすることによって、精算効率を向上することができる。
【００４７】
また、図２に示す画面が表示されてから所定時間以内に電子マネー媒体２が載置部１１４に載置されなかったことを検出した場合には、装置の操作方法（操作手順）をユーザに教示するため、図８および図９に示すように複数種類の画像が順番に（時系列順に）表示される。すなわち、図８（ａ），（ｂ），（ｃ），（ｄ）に続き、図９（ａ），（ｂ），（ｃ），（ｄ）の画面が順に表示されることで、各画像が順に表示される。
【００４８】
図８（ａ）は初期画面を示している。図８（ｂ）〜（ｄ）および図９（ａ）〜（ｂ）は、電子マネー媒体２を載置部１１４に載置することをユーザに教示するための画面である。図９（ｃ）〜（ｄ）は、電子マネー媒体２を載置部１１４に載置した後に買い物スタートボタン８００を押下することをユーザに教示するための画面である。これらの画像が順番に繰り返し表示される。これらの画像の表示中に電子マネー媒体２が載置部１１４に載置され、買い物スタートボタン８００が押下された場合には、図３に示した画像が表示され、前述したように商品登録を行うことが可能となる。
【００４９】
上記のような操作方法を示す画像は以下のようにして表示される。ハードディスク部１０２には、表示に必要な各画像に対応した複数の画像データが格納されている。画像の表示時には、これらの画像データはハードディスク部１０２から読み出されてＲＡＭ１０４に格納される。ＣＰＵ１００は、画像の表示タイミングに合わせて、表示すべき画像に対応した画像データをＲＡＭ１０４から読み出して処理を行い、表示データとして表示部１０６ａへ出力する。ＣＰＵ１００は、処理対象の画像データを変えながら、上記の処理を繰り返す。これによって、各画像が順番に表示される。
【００５０】
なお、図８および図９では、８画面分の画像を１単位として繰り返し表示が行われるが、繰り返し表示の１単位分に含まれる画面の数は８に限らない。例えば、繰り返し表示の１単位分に含まれる画面の数をもっと増やし、動画像を表示してもよい。
【００５１】
また、操作方法を示す複数の画像を同時に表示してもよい。この場合、例えば図１０に示すように、操作方法を示す画像１０００，１０１０，１０２０，１０３０が１つの画面内に同時に表示される。この画面を表示する場合、ＣＰＵ１００は複数の画像データをＲＡＭ１０４から読み出し、複数の画像を１つの画面内に表示するために複数の画像データを合成する処理を行い、表示データとして表示部１０６ａへ出力する。あるいは、複数の画像データを合成した合成画像データを予めハードディスク部１０２に格納させておき、画像の表示時にその合成画像データに基づいて画面表示を行うようにしてもよい。
【００５２】
また、上記の説明では、ユーザが載置部１１４に電子マネー媒体２を載置し、続いて買物スタートボタンを押下することになっているが、ユーザが買物スタートボタンを押下し、続いて載置部１１４に電子マネー媒体２を載置するようにしてもよい。以下、この場合の動作を説明する。
【００５３】
初期状態では表示部１０６ａは、図１１に示す画面を表示する。この画面が表示されている状態で買い物スタートボタン１１００が押下されると、図１２に示す画面が表示される。図１２に示す画面では、電子マネー媒体２を載置部１１４に載置することを促すメッセージ１２００がさらに表示される。図１２に示す画面が表示されてから所定時間以内に電子マネー媒体２が載置部１１４に載置されたことを検出した場合、ＣＰＵ１００は、図３に示した画面を表示させるように表示部１０６ａを制御する。これ以後の動作は前述した通りである。
【００５４】
また、図１２に示す画面が表示されてから所定時間以内に電子マネー媒体２が載置部１１４に載置されなかったことを検出した場合（言い換えると、図１２に示す画面が表示されてから電子マネー媒体２が載置部１１４に載置される前に所定時間が経過したことを検出した場合）には、ＣＰＵ１００は、図１１に示した画面を再度表示させるように表示部１０６ａを制御する。これによって、客が装置の操作を途中で中止し、その場を離れてしまった場合でも、画面を自動的に初期状態に戻すことができる。
【００５５】
上述したように、本実施形態によれば、載置部１１４に電子マネー媒体２が載置され、かつ、商品登録の開始指示が入力部１０６ｂに入力された場合に残高を表示部１０６ａに表示させることによって、客が意図しない残高表示を防止することができる。なお、本実施形態では、客自身が商品登録の開始指示を入力するための買物スタートボタン２００をタッチパネル１０６の表示部１０６ａに表示させているが、ボタン、キー、スイッチ等の入力部を別途設け、その入力部から商品登録の開始指示を入力することが可能なようにしてもよい。
【００５６】
また、上述したように、バーコードの付されている商品のデータを読み取るための操作を促す情報（図３のメッセージ３００等）を表示部１０６ａに表示させるように制御すると共に、バーコードの付されていない商品（本実施形態では新聞）を登録するための登録キー（図３の新聞ボタン３１０）を表示部１０６ａに表示させるように制御することによって、バーコードの付されていない商品のみを購入する場合でも、客自身が商品登録を行うことができる。
【００５７】
また、ユーザに対して教示する操作方法を示す複数の画像（図８、図９）を順番にまたは同時に表示部１０６ａに表示させることによって、ユーザに対して装置の操作方法をより分かりやすく伝えることができる。なお、装置の操作方法を音声によって伝えるようにしてもよい。
【００５８】
以上、図面を参照して本発明の実施形態について詳述してきたが、具体的な構成は上記の実施形態に限られるものではなく、本発明の要旨を逸脱しない範囲の設計変更等も含まれる。例えば、以下のようにしてもよい。電子マネー媒体２が載置部１１４に載置されていると判断され、かつ、買物スタートボタン２００が押下されたと判断されると、図３に示す画面が表示される。この画面が表示されてから一定時間内に商品登録（商品コードの読み取り）が行われたか否かをＣＰＵ１００が判断するようにし、一定時間内に商品コードの読み取りが行われなかったとＣＰＵ１００が判断した場合に、図２に示す買物スタートボタン２００が表示された画面に戻るようにしてもよい。これにより、客が商品登録の開始を宣言してから買い忘れに気がつき、店内に商品を探しに行くといった場合でも、一定時間後は残高が表示されないようになる。
【図面の簡単な説明】
【００５９】
【図１】本発明の一実施形態による商品販売データ処理装置の構成を示すブロック図である。
【図２】本発明の一実施形態による商品販売データ処理装置の表示画面を示す図である。
【図３】本発明の一実施形態による商品販売データ処理装置の表示画面を示す図である。
【図４】本発明の一実施形態による商品販売データ処理装置の表示画面を示す図である。
【図５】本発明の一実施形態による商品販売データ処理装置の表示画面を示す図である。
【図６】本発明の一実施形態による商品販売データ処理装置の表示画面を示す図である。
【図７】本発明の一実施形態による商品販売データ処理装置の表示画面を示す図である。
【図８】本発明の一実施形態による商品販売データ処理装置の表示画面を示す図である。
【図９】本発明の一実施形態による商品販売データ処理装置の表示画面を示す図である。
【図１０】本発明の一実施形態による商品販売データ処理装置の表示画面を示す図である。
【図１１】本発明の一実施形態による商品販売データ処理装置の表示画面を示す図である。
【図１２】本発明の一実施形態による商品販売データ処理装置の表示画面を示す図である。
【符号の説明】
【００６０】
１・・・商品販売データ処理装置、２・・・電子マネー媒体、１００・・・ＣＰＵ、１０２・・・ハードディスク部、１０４・・・ＲＡＭ、１０６・・・タッチパネル、１０６ａ・・・表示部、１０６ｂ・・・入力部、１０８・・・レシート印字部、１１０・・・スキャナ部、１１２・・・リーダライタ部、１１４・・・載置部、１２０・・・バスライン
【図１】
0005239330.tif 000002
【図２】
0005239330.tif 000003
【図３】
0005239330.tif 000004
【図４】
0005239330.tif 000005
【図５】
0005239330.tif 000006
【図６】
0005239330.tif 000007
【図７】
0005239330.tif 000008
【図８】
0005239330.tif 000009
【図９】
0005239330.tif 000010
【図１０】
0005239330.tif 000011
【図１１】
0005239330.tif 000012
【図１２】
0005239330.tif 000013